(57)【要約】【課題】掃除後のカーペット等に、ダニ，ゴキブリ，アリ等の害虫に対する忌避効果を持たせることができるロール式掃除具の粘着性シートを提供する。【解決手段】シート状の繊維素材又はフィルムからなる基材２２と、基材２２の一方の面に離型処理が施された離型処理層２３と、基材２２を挟んで離型処理層２３と反対の面にダニ，ゴキブリ，アリ等の害虫が嫌う忌避剤を含ませた粘着剤が塗布された粘着剤層２４とを備え、粘着剤層２４を外側にして紙管２５に巻装させる。【選択図】図１
2015063636.tif 000002
【特許請求の範囲】
【請求項１】
シート状の繊維素材又はフィルムからなる基材と、前記基材の一方の面に離型処理が施された離型処理層と、前記基材を挟んで前記離型処理層と反対の面に粘着剤が塗布された粘着剤層とを備え、前記粘着剤層を外側にして紙管に巻装されたロール式掃除具の粘着性シートにおいて、
前記粘着剤は、ダニ，ゴキブリ，アリ等の害虫が嫌う忌避剤を含むことを特徴とするロール式掃除具の粘着性シート。
【請求項２】
前記粘着剤は、前記忌避剤がポリマー中油滴型エマルジョンマスターバッチ化されたものを混練してなることを特徴とする請求項１に記載のロール式掃除具の粘着性シート。
【請求項３】
ＪＩＳ  Ｚ０２３７の規格におけるボールタック試験による粘着特性は、Ｎｏ．２〜Ｎｏ．１５の範囲にあり、
ＪＩＳ  Ｚ０２３７の規格における粘着力試験による粘着特性は、０．５〜３Ｎ／１０ｍｍの範囲にあることを特徴とする請求項１又は請求項２に記載のロール式掃除具の粘着性シート。
【請求項４】
前記忌避剤の配合量は、前記粘着剤に対して、０．１〜１０ｗｔ％であり、
前記粘着剤の塗布量は、５〜５０ｇ／ｍ２であることを特徴とする請求項３に記載のロール式掃除具の粘着性シート。
【発明の詳細な説明】
【技術分野】
【０００１】
本発明は、掃除後のカーペット等に、ダニ，ゴキブリ，アリ等の害虫に対する忌避効果を持たせることができるロール式掃除具の粘着性シートに関する。
【背景技術】
【０００２】
従来から、粘着剤層を外側にして巻かれた粘着テープを回転させ、カーペット等を掃除するロール式掃除具は、種々知られている（例えば、特許文献１を参照。）。
【０００３】
また、害虫が嫌う忌避効果を持たせた粘着性シートとして、特許文献２に機能性粘着テープが開示されている。この機能性粘着テープは、ダニ，ゴキブリ，アリ，ヘビ等が嫌う忌避剤がテープ基材の一方の片面に含浸加工されており、テープ基材の他方の片面に再剥離型粘着剤が塗布されたものであり、マンションの入口やドアーの下、食器類の下回り等に接着させて使用される。
【０００４】
この機能性粘着テープによれば、ダニ，ゴキブリ，アリ，ヘビ等が入ってこないようにする忌避効果が得られる。
【先行技術文献】
【特許文献】
【０００５】
【特許文献１】特開２０００−２５４０８９号公報
【特許文献２】特開２００１−２６２０９５号公報
【発明の概要】
【発明が解決しようとする課題】
【０００６】
しかしながら、前述のような粘着性を有するロール式掃除具では、掃除後のカーペット等に、ダニ，ゴキブリ，アリ等の害虫に対する忌避効果を持たせることはできない。
【０００７】
また、前述のように害虫等の忌避効果を持たせた機能性粘着テープは、粘着テープ自体が害虫等の忌避効果を有し、害虫等を寄せ付けたくない場所に接着して使用するものであり、カーペット等を掃除しながら、同時に、掃除後のカーペット等に、ダニ，ゴキブリ，アリ等の害虫に対する忌避効果を持たせることはできない。
【０００８】
そこで、本発明が解決しようとする課題は、掃除後のカーペット等に、ダニ，ゴキブリ，アリ等の害虫に対する忌避効果を持たせることができるロール式掃除具の粘着性シートを提供することである。
【課題を解決するための手段】
【０００９】
本発明は前記課題を解決するためになされたもので、請求項１に記載の発明は、シート状の繊維素材又はフィルムからなる基材と、前記基材の一方の面に離型処理が施された離型処理層と、前記基材を挟んで前記離型処理層と反対の面に粘着剤が塗布された粘着剤層とを備え、前記粘着剤層を外側にして紙管に巻装されたロール式掃除具の粘着性シートにおいて、前記粘着剤は、ダニ，ゴキブリ，アリ等の害虫が嫌う忌避剤を含むことを特徴としている。
【００１０】
請求項１に記載の発明によれば、ダニ，ゴキブリ，アリ等の害虫が嫌う忌避剤を粘着性シートの粘着剤に含ませたことにより、粘着剤層を外側にして巻かれた粘着テープをカーペット等に接触した状態で回転させると、カーペット等のゴミが粘着剤層に付着して掃除されるとともに、粘着剤層からカーペット等へ忌避剤が転移するので、カーペット等の掃除対象物に、ダニ，ゴキブリ，アリ等の害虫に対する忌避効果を持たせることができる。
【００１１】
請求項２に記載の発明は、請求項１において、前記粘着剤は、前記忌避剤がポリマー中油滴型エマルジョンマスターバッチ化されたものを混練してなることを特徴としている。ここで、ポリマー中油滴型エマルジョンマスターバッチとは、ポリマーに相溶性の低い液体状の化合物を高濃度で保持させる際、マトリックスポリマー及び液状化合物、それぞれに相溶性の高いポリマーユニットを一つの分子内にブロック共重合の形で有しているブロックコポリマーを配合、分散することにより、該ブロックコポリマーが界面活性剤的に働き界面を形成し、その内部に液状化合物を内在したエマルジョン液滴を形成したポリマー組成物をいう。
【００１２】
請求項２に記載の発明によれば、請求項１の効果に加えて、粘着剤は、忌避剤がポリマー中油滴型エマルジョンマスターバッチ化されたものを混練してなるため、忌避剤成分を高濃度に均一に分散せしめることができ、長時間安定して担持するので、ダニ，ゴキブリ，アリ等の害虫に対する忌避効果を長期間に渡り粘着剤に持たせることができる。
【００１３】
請求項３に記載の発明は、請求項１又は請求項２において、ＪＩＳ  Ｚ０２３７の規格におけるボールタック試験による粘着特性は、Ｎｏ．２〜Ｎｏ．１５の範囲にあり、ＪＩＳ  Ｚ０２３７の規格における粘着力試験による粘着特性は、０．５〜３Ｎ／１０ｍｍの範囲にあることを特徴としている。
【００１４】
請求項３に記載の発明によれば、請求項１又は請求項２の効果に加えて、ロール式掃除具の粘着性シートは、ＪＩＳ  Ｚ０２３７の規格におけるボールタック試験による粘着特性が、Ｎｏ．２〜Ｎｏ．１５の範囲にあり、ＪＩＳ  Ｚ０２３７の規格における粘着力試験による粘着特性が、０．５〜３Ｎ／１０ｍｍの範囲にあるように構成したので、ロール式掃除具の粘着性シートの本質的機能である掃除特性も十分に優れている。
【００１５】
請求項４に記載の発明は、請求項３において、前記忌避剤の配合量は、前記粘着剤に対して、０．１〜１０ｗｔ％であり、前記粘着剤の塗布量は、５〜５０ｇ／ｍ２であることを特徴としている。
【００１６】
請求項４に記載の発明によれば、請求項３の効果に加えて、忌避剤の配合量が、粘着剤に対して、０．１ｗｔ％よりも少ないと、カーペット等に転移する筈の忌避効果が十分に発現せず、一方、１０ｗｔ％より多いと、粘着性シートの粘着特性が低下するとともに、製造コストが高価となるところ、忌避剤の配合量を０．１〜１０ｗｔ％とすることで、好適なロール式掃除具の粘着性シートが得られる。
【００１７】
また、請求項４に記載の発明によれば、粘着剤の塗布量が、５ｇ／ｍ２を下回ると、基材への粘着剤の被覆性が劣り、清掃時の汚れの取れ易さを阻害するとともに、カーペット等の掃除対象物への転移性も均一でなくなり、忌避効果が低下する一方、５０ｇ／ｍ２を超えると、製造コストが大幅に上昇するとともに、清掃作業の際カーペット等への粘着性が強力になりすぎるところ、粘着剤の塗布量を５〜５０ｇ／ｍ２とすることで、好適なロール式掃除具の粘着性シートが得られる。
【発明の効果】
【００１８】
本発明によれば、掃除後のカーペット等に、ダニ，ゴキブリ，アリ等の害虫に対する忌避効果を持たせることができるロール式掃除具の粘着性シートを提供することができる。
【図面の簡単な説明】
【００１９】
【図１】本発明の一実施形態を示すロール式掃除具の粘着性シートの構成を示す模式図であって、（Ａ）全体図、（Ｂ）Ａ−Ａ部分を目の方向から見た拡大断面図である。
【図２】ロール式掃除具の構成及び粘着性シートの使用方法の説明に供する図である。
【発明を実施するための最良の形態】
【００２０】
以下、本発明を適用した具体的な実施の形態について、図面を参照しながら詳細に説明する。本発明は、例えば図１に示すような構成のロール式掃除具１の粘着性シート１１に適用される。
【００２１】
１．粘着性シート１１の構成
先ず、図１及び図２を参照して、粘着性シート１１の構成の概略について説明する。この粘着性シート１１は、図１（Ｂ）に示すように、シート状の基材２２と、基材２２の一方の面に離型処理が施された離型処理層２３と、基材２２を挟んで離型処理層２３と反対の面に粘着剤が塗布された粘着剤層２４とを主要部として備えており、図１（Ａ）に示すように、粘着剤層２４を外側にして紙管２５に巻装されている。
【００２２】
ロール式掃除具１は、７字状に形成されたローラー取手２と、ローラー取手２の先端部に回転自在に装着された円筒状コア３とを主要部として備え、円筒状コア３の外周面上に、紙管２５が挿管されることで、粘着性シート１１が巻装されている。なお、図１（Ａ）及び図２においては、図示する都合上、粘着性シート１１が単層であるように記載されているが、実施に際しては、複数回巻き付けて、複数層巻装された状態で実施でき、巻き付ける回数は、円筒状コア３や紙管２５の直径等に応じて任意である。
【００２３】
基材２２は、シート状の繊維素材又はフィルムからなるシート材であり、例えば、パルプを原料とした紙や合成紙，不織布、ポリエチレンやポリプロピレン等の合成樹脂等の柔軟性や屈尭性に富んだ材料であればよい。
【００２４】
離型処理層２３は、シリコーン樹脂の塗布を均一にする目的で、ポリエチレンラミネートやアクリル樹脂等による前処理の後、シリコーン樹脂が塗布されることで離型処理がなされている。
【００２５】
粘着剤層２４は、シリコーン樹脂等による離型処理前に、ホットメルト型粘着剤、或いは、エマルジョン型粘着剤が塗布されることで形成されている。粘着剤は、本実施形態においては、柔軟でありながらも、十分な粘着特性を有するＳＩＳ（スチレン−イソプレンブロック共重合体）系のホットメルト型粘着剤が使用されている。ＳＩＳ系ホットメルト型粘着剤は、ＳＩＳと粘着付与樹脂と軟化剤と酸化防止剤とからなる。
【００２６】
忌避剤は、例えば、アルキル基の炭素数が１〜８、かつ、主鎖の炭素数が６〜１２である脂肪族系若しくは芳香族系多塩基酸ジアルキルエステル、又は芳香族カルボン酸ベンジルエステル等から選ばれる化合物が使用される。
【００２７】
また、忌避剤は、原液の状態で、ポリマー中油滴型エマルジョンマスターバッチ化されて、或いは、マイクロカプセル化されて、粘着剤の製造工程において、前記のホットメルト型粘着剤成分とともに混練されて形成されている。
【００２８】
忌避剤の粘着剤への配合割合は、原液の状態で、マスターバッチ化又はマイクロカプセル化の何れの場合も、粘着剤に対して、０．１〜１０ｗｔ％の範囲が望ましい。配合割合が、０．１ｗｔ％より少ないと十分な忌避効果を発揮しない場合がある一方、１０ｗｔ％より多くすると粘着特性が低下し、本来の清掃機能が著しく低下するとともに、商品自体が高価となり、本来の掃除用具としての適性がなくなるからである。
【００２９】
２．粘着性シート１１の試験
続いて、粘着性シート１１の評価方法について説明する。
【００３０】
＜粘着性シート１１の調整＞
粘着性シート１１の調整方法について説明する。ＳＩＳ系ホットメルト型粘着剤の製造工程において、下記の忌避剤を添加した粘着性シート１１、及び、忌避剤を無添加の粘着性シート１１を作製して、ダニ忌避試験に供した。
【００３１】
＜ダニ忌避剤＞
実施例１  ジブチルセバゲート（以下ＤＢＳという。）を粘着剤に混練したもの。
実施例２  ドデカン二酸ジ−ｎ−ブチル（以下、ＤＢＤＮという。）を粘着剤に混練したもの。
実施例３  安息香酸ベンジル（以下、ＢＢという。）を粘着剤に混練したもの。
実施例４  ジブチルアジペート（以下、ＤＢＡという。）を粘着剤に混練したもの。
実施例５  ＤＢＳをマスターバッチ化して粘着剤に混練したもの。
【００３２】
＜カーペットの調整＞
インテリアファブリックス性能評価会議指定試験用無加工カーペットを用い、一方向に１０回、カーペットを１８０°回転させた方向に１０回転がしたもの（１０往復処理）をダニ忌避試験試料とした。
＜ダニ忌避試験＞
【００３３】
ダニ忌避効果は、侵入阻止法（防ダニ加工製品協議会指定法）により評価した。ダニ忌避試験は、シャーレの中に下記の各実験例及び比較例で作成した薬剤含浸布を敷き、中央に餌を置いた。そして、シャーレの周囲にダニ（ヤケヒョウヒダニ）１１００匹を配置して、シャーレ中央の餌までたどり着くダニの匹数を数えた。
【００３４】
所定の薬剤をスプレーしなかった布を用いた場合の、シャーレ中央の餌までたどり着くダニの匹数をａ、上記薬剤含浸布を用いた場合の、シャーレ中央の餌までたどり着くダニの匹数をｂとしたとき、忌避率を下記の式から算出した。
忌避率（％）＝（ａ−ｂ）／ａ×１００
【００３５】
なお、侵入阻止法（防ダニ加工製品協議会指定法）によれば、この忌避率が５０％以上の場合に、忌避効果が優れていると評価される。
【００３６】
＜粘着特性の試験＞
（１）ボールタック試験
ＪＩＳ  Ｚ０２３７の規格に準拠して、ボールタック試験を行った。ボールタック測定時の傾斜角は３０°である。
【００３７】
（２）粘着力試験
ＪＩＳ  Ｚ０２３７の規格に準拠して、粘着力試験を行った。剥離強度測定時の角度は１８０°である。
【００３８】
３．粘着性シート１１の評価
ダニ忌避試験及び粘着特性の試験の結果を表１に示す。
【表１】
2015063636.tif 000003
【００３９】
表1において、比較例１〜３は、粘着剤の塗布量を２０ｇ／ｍ２に固定して、忌避剤の添加量を変えている。比較例４は、忌避剤の添加量を２ｗｔ％にして、粘着剤の塗布量を５ｇ／ｍ２としている。
【００４０】
実施例１〜５に示す通り、粘着性シート１１でカーペットの調整をしたダニ忌避試験試料は、何れも忌避効果を有する状態になっていることが明らかとなった。
【００４１】
他方、比較例１に示す通り、ダニ忌避剤を配合していない粘着性シートでカーペットの調整をしたカーペットにはダニ忌避効果がなかった。
【００４２】
また、比較例２に示す通り、ダニ忌避剤を１０ｗｔ％配合した粘着性シート１１で調整をしたダニ忌避試験試料は、ダニ忌避効果が高い値を示したが、粘着性シート１１の粘着特性が低下する結果となった。
【００４３】
また、比較例３に示す通り、ダニ忌避剤を０．１ｗｔ％配合した粘着性シート１１で調整をしたダニ忌避試験試料は、ダニ忌避効果が低い値となったが、粘着性シート１１の粘着特性が優れた値を示した。
【００４４】
また、比較例４に示す通り、粘着剤の塗布量を５ｇ／ｍ２とした粘着性シート１１で調整をしたダニ忌避試験試料は、ダニ忌避効果が低く、粘着性シート１１の粘着特性も平凡な結果となった。
【００４５】
さらに、実施例１〜５に示す通り、忌避効果を有する粘着性シート１１の粘着特性は、下記の範囲にあることが明らかになった。
（１）ボールタック試験による粘着特性は、Ｎｏ．２〜Ｎｏ．１５の範囲にあった。
（２）粘着力試験による粘着特性は、０．５〜３Ｎ／１０ｍｍの範囲にあった。
【００４６】
４．粘着性シート１１の使用方法
ユーザは、ローラー取手２の先端部に回転自在に装着された円筒状コア３の外周面上に、紙管２５を挿管させて、図２に示すように、ロール式掃除具１を組み立てる。
【００４７】
ユーザは、ローラー取手２を手で持って、粘着性シート１１がカーペット等の掃除対象物上を接触させた状態で回転移動させると、カーペット等のゴミが粘着剤層２４に付着するので掃除対象物を掃除することができる。
【００４８】
この際、粘着剤層２４からカーペット等へ忌避剤が転移するので、カーペット等の掃除対象物に、ダニ，ゴキブリ，アリ等の害虫に対する忌避効果を持たせることができる。
【００４９】
なお、本発明は前述した実施の形態のみに限定されるものではなく、本発明の要旨を逸脱しない範囲において種々の変更が可能であることは勿論である。
【符号の説明】
【００５０】
１    ロール式掃除具
２    ローラー取手
３    円筒状コア
１１  粘着性シート
２２  基材
２３  離型処理層
２４  粘着剤層
２５  紙管
【図１】
2015063636.tif 000004
【図２】
2015063636.tif 000005